(57)【要約】【課題】細かい彩色を施すことができる意匠性を有するチューブ型ボールペンを提供すること。【解決手段】ボールペンの芯１と、このボールペンの芯１を保持する合成樹脂製の芯保持部材２と、この芯保持部材２に保持されたボールペンの芯１の先端１１が口部３１から突出するように芯保持部材２の全体を覆うチューブ部材３と、このチューブ部材３の口部３１から突出するボールペンの芯１の先端１１を覆うようにチューブ部材３の口部３１に装着されるキャップ４とを備える。【選択図】図１
0003172224.tif 000002
【実用新案登録請求の範囲】
【請求項１】
ボールペンの芯と、該ボールペンの芯を保持する合成樹脂製の芯保持部材と、該芯保持部材に保持されたボールペンの芯の先端が口部から突出するように芯保持部材の全体を覆うチューブ部材と、該チューブ部材の口部から突出するボールペンの芯の先端を覆うようにチューブ部材の口部に装着されるキャップとからなることを特徴とするチューブ型ボールペン。
【考案の詳細な説明】
【技術分野】
【０００１】
本考案は、ボールペンに関し、特に、意匠性を有するチューブ型ボールペンに関するものである。
【背景技術】
【０００２】
従来、ボールペンには、外形が単純な棒状を呈した専ら事務の用途に用いられるもののほか、種々の装飾を施すことによって意匠を凝らしたものが実用化されている。
【０００３】
このうち、意匠を凝らしたものとして、ボールペンの芯を保持する芯保持部材自体を、果実や野菜の形状をした合成樹脂製の成形体で構成したものが提案されている（例えば、特許文献１参照。）が、合成樹脂製の成形体の場合、細かい彩色を施しにくいという問題があった。
【先行技術文献】
【特許文献】
【０００４】
【特許文献１】実公平４−２７６６９号公報
【考案の概要】
【考案が解決しようとする課題】
【０００５】
本考案は、細かい彩色を施すことができる意匠性を有するチューブ型ボールペンを提供することを目的とする。
【課題を解決するための手段】
【０００６】
上記目的を達成するため、本考案のチューブ型ボールペンは、ボールペンの芯と、該ボールペンの芯を保持する合成樹脂製の芯保持部材と、該芯保持部材に保持されたボールペンの芯の先端が口部から突出するように芯保持部材の全体を覆うチューブ部材と、該チューブ部材の口部から突出するボールペンの芯の先端を覆うようにチューブ部材の口部に装着されるキャップとからなることを特徴とする。
【考案の効果】
【０００７】
本考案のチューブ型ボールペンによれば、芯保持部材に保持されたボールペンの芯の先端が口部から突出するように芯保持部材の全体をチューブ部材で覆うようにしているので、チューブ部材に細かい彩色を施すことができ、意匠性を有し、ファンシーグッズやノベルティーグッズとして好適なチューブ型ボールペンを提供することができる。
【図面の簡単な説明】
【０００８】
【図１】本考案のチューブ型ボールペンの一実施例を示し、（ａ）は展開図、（ｂ）は部分断面図である。
【図２】芯保持部材を示し、（ａ１）〜（ａ３）は開いた状態の芯保持部材の三面図、（ｂ１）〜（ｂ２）は閉じた状態の芯保持部材の二面図を示す。
【図３】同チューブ型ボールペンを示す三面図である。
【考案を実施するための形態】
【０００９】
以下、本考案のチューブ型ボールペンの実施の形態を、図面に基づいて説明する。
【００１０】
図１〜図３に、本考案のチューブ型ボールペンの一実施例を示す。
このチューブ型ボールペンは、図１に示すように、ボールペンの芯１と、このボールペンの芯１を保持する合成樹脂製の芯保持部材２と、この芯保持部材２に保持されたボールペンの芯１の先端１１が口部３１から突出するように芯保持部材２の全体を覆うチューブ部材３と、このチューブ部材３の口部３１から突出するボールペンの芯１の先端１１を覆うようにチューブ部材３の口部３１に装着されるキャップ４と、このキャップ４に装着されるストラップ５とを備えるようにしている。
【００１１】
この場合において、ボールペンの芯１は、従来公知の油性又は水性のボールペンの芯１を用いることができる。
【００１２】
芯保持部材２は、図２に示すように、ポリオレフィン樹脂等の合成樹脂製の成型品からなり、本実施例においては、先端側にボールペンの芯１の先端１１が突出する口部２１を形成した分割体２ａ、２ｂを、基端側で可撓性を有する接続部２２を介して接続することにより一体構造のもので構成するようにしている。
また、芯保持部材２は、ボールペンの芯１を保持するために、溝状の芯保持部２３を備えるようにしている。
ところで、本実施例においては、口部２１の径を芯保持部２３の径より小さく形成することにより、ボールペンの芯１の先端１１を口部２１で確実に保持できるようにしているが、ボールペンの芯１を交換できるようにするために、口部２１の径と芯保持部２３の径を同じ径に形成することもできる。
芯保持部材２は、ボールペンの芯１を挟持するように分割体２ａ、２ｂを組み合わせることにより、ボールペンの芯１を保持するようにするが、このとき、分割体２ａ、２ｂの一体性を高めてボールペンの芯１をより確実に保持できるようにするために、分割体２ａ、２ｂの接合面に嵌合突部２４ａ、２５ａ及び嵌合穴部２４ｂ、２５ｂからなる嵌合部を形成するようにしている。なお、芯保持部材２は、その全体がチューブ部材３で覆うことによって拘束されることになるため、図１に示すように、嵌合部を省略することもできる。
【００１３】
チューブ部材３は、絵の具や練り歯磨きに用いられるポリエチレン樹脂等の合成樹脂製（ラミネートを含む。）のチューブからなり、図１及び図３に示すように、芯保持部材２に保持されたボールペンの芯１の先端１１が口部３１から突出するように芯保持部材２の全体を覆った状態で、基端側をシール３２することによって閉止するようにしている。
【００１４】
キャップ４は、ポリオレフィン樹脂等の合成樹脂製の成型品からなり、チューブ部材３の口部３１から突出するボールペンの芯１の先端１１を覆うようにチューブ部材３の口部３１に装着されるもので、表面にストラップ５のカニカン５１を装着するためのフック部４１を形成するようにしている。
【００１５】
このチューブ型ボールペンは、芯保持部材２に保持されたボールペンの芯１の先端１１が口部３１から突出するように芯保持部材２の全体をチューブ部材３で覆うようにしているので、絵の具や練り歯磨きのように、チューブ部材３に細かい彩色（熱転写等による加飾）を施すことができ、意匠性を有し、ファンシーグッズやノベルティーグッズ、例えば、絵の具や練り歯磨きのノベルティーグッズとして好適なチューブ型ボールペンを提供することができる。
【００１６】
以上、本考案のチューブ型ボールペンについて、その実施例に基づいて説明したが、本考案は上記実施例に記載した構成に限定されるものではなく、その趣旨を逸脱しない範囲において適宜その構成を変更することができるものである。
【産業上の利用可能性】
【００１７】
本考案のチューブ型ボールペンは、細かい彩色を施すことができる意匠性を有することから、ファンシーグッズやノベルティーグッズの用途に好適に用いることができる。
【符号の説明】
【００１８】
１    ボールペンの芯
１１  ボールペンの芯の先端
２    芯保持部材
２１  口部
３    チューブ部材
３１  口部
４    キャップ
４１  フック部
５    ストラップ
５１  カニカン
【図１】
0003172224.tif 000003
【図２】
0003172224.tif 000004
【図３】
0003172224.tif 000005